(57)【特許請求の範囲】
【請求項１】
検出対象である光信号が入力される時間遅延調整手段（１０）と，
光周波数コムを発生させる光周波数コム発生器（２０）と，
前記時間遅延調整手段（１０）から順次出力される時間調整された光信号列と，前記光周波数コム発生器（２０）から出力される光周波数コム信号とを光混合する光混合器（３０）と，
前記光混合器（３０）から出力される混合信号を検出する光検出器（４０）と，を備え，
前記時間遅延調整手段（１０）は，前記時間調整された光信号列のそれぞれが，前記光混合器（３０）において前記光周波数コムと異なるタイミングで光混合されるように時間調整を行う
光検出装置。
【請求項２】
前記時間遅延調整手段（１０）は，
前記光信号のうちの所定時間領域内の光信号列を取得して前記光混合器（３０）へと出力する時間ゲートスイッチ（１１）と，
前記時間ゲートスイッチ（１１）により取得されなかった前記光信号に時間遅延を与えて再び前記時間ゲートスイッチ（１１）に入力するループ型光ファイバ遅延器（１２）と，を有する
請求項１に記載の光検出装置。
【請求項３】
前記光検出器は，前記混合信号に含まれる前記光信号列の成分の周波数と前記光周波数コムの成分の周波数の周波数差を検出して，当該周波数差を周波数とする電気信号を得る
請求項１又は請求項２に記載の光検出装置。
【請求項４】
前記時間遅延調整手段（１０）から出力される前記光信号列が入力する前記光混合器（３０）と，前記光混合器（３０）から出力される前記混合信号が入力する前記光検出器（４０）は，それぞれ一つである
請求項１から請求項３のいずれかに記載の光検出装置。
【請求項５】
検出対象である光信号を時間遅延調整手段（１０）に入力する工程と，
光周波数コム発生器（２０）によって光周波数コムを発生させる工程と，
前記時間遅延調整手段（１０）から順次出力される時間調整された光信号列と，前記光周波数コム発生器（２０）から出力される光周波数コム信号とを，光混合器（３０）において光混合する工程と，
光検出器（４０）によって前記光混合器（３０）から出力される混合信号を検出する工程と，を含み，
前記時間遅延調整手段（１０）は，前記時間調整された光信号列のそれぞれが，前記光混合器（３０）において前記光周波数コムと異なるタイミングで光混合されるように時間調整を行う
光検出方法。
【発明の詳細な説明】
【技術分野】
【０００１】
本発明は，オシロスコープなどの光検出装置及び光検出方法に関する。具体的に説明すると，本発明は，電気的帯域限界を超えた超広帯域の光信号を一括計測することのできる光検出装置及び光検出方法に関するものである。
【背景技術】
【０００２】
近年，光信号の多重化が急速に進められている。例えば，時間領域では，数にして１０〜１００程度の光信号チャネルが多重化され，光伝送速度は，１００Ｇｂ／ｓ〜数Ｔｂ／ｓに迫っている。さらに，光位相シフトキーイング（光ＰＳＫ）及び光直交振幅変調（光ＱＡＭ）等のコヒーレント光伝送方式や，光直交周波数分割多重（光ＯＦＤＭ）及び光符号分割多重（光ＯＣＤＭ）等の複雑な光多重度方式も注目を集めている。
【０００３】
ところで，既存の光計測装置においては，上記したような光多重度の高い高速信号や，光多重信号，コヒーレント信号等を一括して解析及び評価する実践的な手法は確立されていない。例えば，従来の広帯域光計測装置は，第二次高調波発生（ＳＨＧ）や四光波混合（ＦＷＭ）現象等に基づいた複雑な全光信号処理技術に依存しており，光通信ネットワークの実践的な適用は困難であった。また，従来の光計測装置は，機能的にも，単一チャネル信号の解析が精一杯であり，光通信ネットワーク上で高度に多次元的に多重化された光多重信号の解析には適さないものであった。
【先行技術文献】
【特許文献】
【０００４】
【特許文献１】H.Takaraal,Electron.Lett.,1152-1153(1994).
【特許文献２】M.Westlundetatal.,OFC’04.,(2004)OWJ3.
【発明の概要】
【発明が解決しようとする課題】
【０００５】
上記のように，現在，光物理現象の探求や，光デバイス開発のための光計測評価技術を目的とした超高速・超広帯域光信号の光計測は実現されている。しかし，これらの従来技術は，第二次高調波発生（ＳＨＧ）や四光波混合（ＦＷＭ）現象等に基づいた複雑な全光信号処理技術に依存しており，光通信ネットワークの実践的な適用は困難である。また，従来技術では，一つのハードウェアで，単一のチャネル信号の解析しか行えない。また，従来技術は，モード同期レーザ等の安定動作の難しい高度技術が必須である。さらに，これらの技術は，複雑かつ高価な技術であり，応用範囲は研究開発の用途に限られたものであった。
【０００６】
また，広帯域でスペクトル効率の高い伝送を実現するために，光マルチキャリア伝送が注目されている。このような光マルチキャリア伝送は，複数のチャネルが多重化されたマルチキャリア光信号を利用する。しかし，光マルチキャリア伝送では，１００ＧＨｚ以上の総帯域幅に達する複数の光搬送波によって信号が伝送されるのに対し，従来のシングルチャネル検出器は電気的帯域幅が制限されているため，この広帯域の光信号を一括して検出することができなかった。このような超広帯域のマルチキャリア光信号を検出するためには，一般的に，この光信号を光学的に低速なサブチャネルへと多重分離する必要がある。例えば，マルチキャリア光信号に含まれる各サブチャネルを分波分離するための方法として，光高速フーリエ変換（ＦＦＴ）又はこれと同等のフィルタ回路を用いることが考えられる。しかしながら，これらの光高速フーリエ変換（ＦＦＴ）や光チャネル選択フィルタに関する技術は未だ研究開発段階にあり，現実的には光マルチキャリア伝送への応用は実現されていない。
【０００７】
そこで，本発明は，複雑な全光信号処理技術や光高速フーリエ変換等に依存せずに，電気的帯域限界を超えた超広帯域光信号の一括計測を可能にすることを目的とする。
【課題を解決するための手段】
【０００８】
本発明の発明者は，上記の従来技術の問題を解決する手段について鋭意検討した結果，検出対象である光信号と光周波数コム発生器から出力される光周波数コム（ローカルコム）とを光混合器において混合し，その混合信号を検出するという光多周波ミキシング検出技術を応用することとした。すなわち，本発者は，検出対象である光信号に時間遅延を与えて時間調整し，この時間調整された光信号列のそれぞれが，光混合器において光周波数コムと異なるタイミングで光混合されるように時間調整を行った上で，光信号列と光周波数コムとを光混合して，その混合信号を順次光検出するという構成を発案した。そして，本発明者は，上記知見に基づけば，複雑な全光信号処理技術や光高速フーリエ変換等に依存せずに，電気的帯域限界を超えた超広帯域光信号の一括計測が可能になることに想到し，本発明を完成させた。
【０００９】
本発明の第１の側面は，光検出装置に関する。
本発明に係る光検出装置は，時間遅延調整手段１０と，光周波数コム発生器２０と，光混合器３０と，光検出器４０と，を備えている。
時間遅延調整手段１０は，検出対象である光信号が入力され，この光信号の遅延時間を調整する。
光周波数コム発生器２０は，光周波数コム（ローカルコム）を発生させる。
光混合器３０は，時間遅延調整手段１０から順次出力される時間調整された光信号列と，光周波数コム発生器２０から出力される光周波数コム信号とを光混合する。
光検出器４０は，光混合器３０から出力される混合信号を検出する。
そして，上記の時間遅延調整手段１０は，時間調整された光信号列のそれぞれが，光混合器３０において光周波数コムと異なるタイミングで光混合されるように時間調整を行う。
【００１０】
上記構成のように，本発明の光検出装置は，検出対象である光信号を時間遅延調整手段１０に入力し，光混合器３０に到達するタイミングの異なる複数の光信号列（周波数や強度は一定）を生成する。そして，光混合器３０において，時間調整された光信号列のそれぞれに，同じ光周波数コムを順次混合していく。このとき，各光信号列が光混合器３０に到達するタイミングは少しずつ異なっているため，各光信号列と光周波数コムの相対的な時間遅延（時間差）も少しずつ異なっている。ここで，光信号列と光周波数コムとが混合されると，光信号列の振幅と位相とが一致した部位にサンプリング点が形成されて，この光信号列のサンプリング点が光検出器で検出される。このようなサンプリング点における光検出を，複数の光信号列のそれぞれについて行う。このように，検出対象である光信号の全帯域をカバーすることのできる光周波数コムを発生させて，この光周波数コムを時間調整された光信号列のそれぞれに混合して光検出を順次行っていくことで，最終的には，検出対象である光信号の全体域について周波数や波形などの光情報を検出し，測定することができる。これにより，本発明の光検出装置は，電気的帯域限界を超えた超広帯域の光信号であっても，一括且つ連続的に光検出を行うことができる。
【００１１】
本発明の光検出装置において，時間遅延調整手段１０は，時間ゲートスイッチ１１と，ループ型光ファイバ遅延器１２と，を有することが好ましい。
時間ゲートスイッチ１１は，検出対象となる光信号のうちの所定時間領域内の光信号列を取得して光混合器３０へと出力する。
ループ型光ファイバ遅延器１２は，時間ゲートスイッチ１１により取得されなかった光信号を循環させることで時間遅延を与えて再び時間ゲートスイッチ１１に入力する。
【００１２】
上記のように，時間ゲートスイッチ１１とループ型光ファイバ遅延器１２を用いることで，光信号列が光混合器３０に到達するタイミングを適切に調整することができる。
【００１３】
本発明の光検出装置において，光検出器は，混合信号に含まれる光信号列成分の周波数と光周波数コム成分の周波数の周波数差を検出して，当該周波数差を周波数とする電気信号を得るものであることが好ましい。
【００１４】
上記構成のように，混合信号に含まれる光信号列成分と周波数コム成分の周波数差に基づいて電気信号を得ることにより，検出対象である光信号と比較して，高度に帯域圧縮された電気信号を得ることができる。このため，検出対象の光信号の帯域幅が光検出器によって検出可能な帯域幅の限界を超えている場合であっても，この光検出器によって帯域幅の広い光信号を一括して取得することができる。
【００１５】
本発明に係る光検出装置において，時間遅延調整手段１０から出力される光信号列が入力する光混合器３０と，光混合器３０から出力される混合信号が入力する光検出器４０は，それぞれ一つであることが好ましい。
【００１６】
超広帯域の光信号を検出する場合に，光混合器や，光検出器，光周波数コム発生器などをそれぞれ複数ずつ設けることで，光信号の全帯域をカバーすることも可能である。しかし，光混合器や光検出器等を複数個設けると，光検出装置の受信部分が大型化してしまう。そこで，本発明の光検出装置では，光混合器３０と光検出器４０とがそれぞれ１つずつ設けられた簡易な構成で，超広帯域の光信号の検出を実現することが好ましい。この点，本発明の光検出装置は，時間遅延調整手段１０によって，光信号列が光混合器３０に順番に導入されるようにタイミングを調整しているため，一つの光混合器３０と光検出器４０とによって，超広帯域の光信号を一括して取得することができる。
【００１７】
本発明の第２の側面は，光検出方法に関する。
本発明に係る光検出方法は，
検出対象である光信号を時間遅延調整手段１０に入力する工程と，
光周波数コム発生器２０によって光周波数コムを発生させる工程と，
時間遅延調整手段１０から順次出力される時間調整された光信号列と，光周波数コム発生器２０から出力される光周波数コム信号とを，光混合器３０において光混合する工程と，
光検出器４０によって光混合器３０から出力される混合信号を検出する工程と，を含む。
ここで，時間遅延調整手段１０は，時間調整された光信号列のそれぞれが，光混合器３０において光周波数コムと異なるタイミングで光混合されるように時間調整を行う。
【発明の効果】
【００１８】
本発明によれば，複雑な全光信号処理技術や光高速フーリエ変換等に依存せずに，電気的帯域限界を超えた超広帯域光信号の一括計測を行うことができる。
【図面の簡単な説明】
【００１９】
【図１】図１は，本発明に係る光検出装置の基本原理を示した概念図である。特に，図１は，光信号列を波長領域で分解する場合の原理を示している。
【図２】図２は，本発明に係る光検出装置の機能を示したブロック図である。
【図３】図３は，本発明に係る光検出装置の応用例を示した概念図である。特に，図３は，光信号列を時間−周波数領域で分解する場合を示している。
【図４】図４は，図１０に示された応用例において，ローカルコムの各周波数成分の直交した位相関係の例を示している。
【図５】図５は，本発明に係る光検出装置の一実施形態を示している。
【図６】図６は，光周波数コム発生器の好ましい形態を示している。
【図７】図７は，光検出器の好ましい形態を示している。
【図８】図８は，本発明に係る光検出装置の実施例を示している。
【図９】図９（ａ）は，４×２０−Ｇｂ／ｓＯＴＦＤＭ−ＱＰＳＫ信号の光スペクトルを示している。図９（ｂ）は，異なる帯域幅を持つ複数のＯＴＦＤＭバンドルを搬送するフレキシブルなグリッド信号の光スペクトルを示している。図９（ｃ）は，ローカルコムの光スペクトルを示している。
【図１０】図１０は，所要のＯＳＮＲに対して測定されたビットエラーレートを示している。
【図１１】図１１は，多重分離されたＱＰＳＫ信号のコンスタレーションを示している。
【発明を実施するための形態】
【００２０】
以下，図面を用いて本発明を実施するための形態について説明する。本発明は，以下に説明する形態に限定されるものではなく，以下の形態から当業者が自明な範囲で適宜修正したものも含む。
【００２１】
［１．基本原理］
図１は，本発明に係る光検出装置及び光検出方法の原理を模式的に示している。また，図２は，光検出装置の機能ブロックを示している。まず，図１及び図２を参照して，本発明の基本原理について説明する。図２に示されるように，光検出装置１００は，時間遅延調整手段１０と，光周波数コム発生器２０と，光混合器３０と，光検出器４０と，を備えている。
【００２２】
時間遅延調整手段１０には，検出対象である光信号が入力される。本発明の光検出装置１００では，超広帯域の光信号を検出することが可能である。例えば，超広帯域の光信号の例としては，ｍ値ＰＳＫ信号や，ｍ値ＱＡＭ信号，その他のマルチキャリア信号が挙げられる。例えば，時間遅延調整手段１０に入力される光信号の帯域は，光検出器４０によって検出可能な帯域限界の２倍以上であってもよく，４倍，８倍，又は１０倍以上であってもよい。このように，本発明の光検出装置１００は，光検出器４０の検出限界を超えた帯域を持つ光信号であっても，検出・測定することが可能である。
【００２３】
図１及び図２に示されるように，光信号は，時間遅延調整手段１０に入力されると，時間遅延が与えられて，異なった時間で，時間遅延調整手段１０から順次出力される。例えば，図１に示した例では，時間遅延調整手段１０から出力された複数組の光信号列は，それぞれ，ｔ１，ｔ２，…ｔｎの時間遅延が与えられている。また，図２に示されるように，時間遅延調整手段１０の出力先には，光混合器３０が設けられている。つまり，時間遅延調整手段１０から出力された複数組の光信号列は，それぞれ，異なるタイミングで，光混合器３０に到達する。
【００２４】
図２に示されるように，光混合器３０は，時間遅延調整手段１０からの出力と光周波数コム発生器２０からの出力とを光混合するものである。光周波数コム発生器２０は，光周波数コム（ローカルコム）を連続的に発生させている。光周波数コムは，等間隔の周波数差を有する複数の光周波数成分により構成されている。このため，時間遅延調整手段１０によって時間調整された複数組の光信号列は，光混合器３０に到達すると，それぞれ異なるタイミングで光周波数コムと光混合される。このとき，各光信号列が光混合器３０に到達するタイミングは少しずつ異なっているため，各光信号列と光周波数コムの相対的な時間遅延（時間差）も少しずつ異なっている。
【００２５】
図１に示した原理では，各光信号列に光周波数コムを混合していくことで，各光信号列を波長領域で分解する。つまり，図１に示したように，各光信号列を波長分解する場合には，ローカルコムの波長を時間に対してシフトさせることにより，光信号列のそれぞれについて異なる周波数成分をサンプリング検出していく。ローカルコムの波長をシフトさせることで，光信号列の全体域をカバーすることができる。複数の光信号列のそれぞれに光周波数コムが混合されていくこととなるが，図１に示されるように，これらの光信号列に混合される複数の周波数コムは，それぞれ，時間的にみると，少しずつ中心波長が異なっている。従って，光信号列と光周波数コムとが混合されると，光信号列と光周波数コムの振幅及び位相が一致した部位にサンプリング点が形成される。これにより，図１に示されるように，各光信号列は，少しずつ異なる帯域においてサンプリング点が抽出される。また，すべての光信号列のサンプリング点を集積すると，測定対象となる超広帯域の光信号の全体域をカバーするものとなる。
【００２６】
また，図１に示されるように，一つの光信号列からは幾つかのサンプリング点のみが抽出されているため，光信号列ごとのサンプリング点をまとめると，その帯域は，元の光信号の帯域と比較して高度に圧縮されたものとなる。また，複数組の光信号列は，それぞれ，異なるタイミングで光検出器４０に到達する。このため，光検出器３０は，帯域圧縮された光信号列を順次検出していくことができる。つまり，光検出器３０は，超広帯域の光信号を同時に検出する必要がなく，帯域圧縮された複数の光信号列を順番に連続的に検出していけば済むこととなる。このように，測定対象となる超広帯域の光信号は，時間遅延調整手段１０と，光混合器３０（光周波数コム発生器２０）とを通過することで，波長領域で分解されて，且つ，高度に帯域圧縮された状態で，光検出器４０に導入される。従って，超広帯域の光信号を検出する場合であっても，光検出器４０としては，既存の低速の光検出器を用いることができる。
【００２７】
その後，測定対象の光信号は光検出器４０によって電気信号に変換される。光信号は，複数組の光信号列に分解され，且つ，帯域圧縮されたものであるが，電気信号に変換された後に，所定のアルゴリズムで解析することにより，分解・圧縮される前の状態（超広帯域の状態）に再構築される。再構築のためのアルゴリズムは適宜設計すればよい。再構築された超広帯域の電気信号は，その後，測定対象となる光信号の波形等を解析するための信号として用いられる。これにより，本発明の光検出装置１００によれば，超広帯域の光信号の全帯域を連続的に一括取得し，その波形等の光情報を解析することができる。解析された波形等の情報は，公知のディスプレイ装置などに表示することができる。
【００２８】
図３は，本発明に係る光検出装置及び光検出方法の応用例を模式的に示している。つまり，時間遅延調整手段１０から順次出力される光信号列と光周波数コムを混合して，この光信号列を分解する方法としては，上記したように波長領域で分解する方法（図１参照）の他に，時間領域で分解する方法と，時間−周波数領域で分解する方法が考えられる。この図３では，特に，時間−周波数領域で分解する方法の例を示している。
【００２９】
図３に示されるように，時間−周波数領域で分解する方法において，時間遅延調整手段１０によって各光信号列が光混合器３０に到達するタイミングを異ならせる点は，上記した波長領域で分解する方法（図１参照）と同様である。他方，時間−周波数領域で分解する方法では，上記した波長領域で分解する方法とは異なり，光周波数コム（ローカルコム）の波長は，時間に対して固定されていてもかまわない。つまり，光周波数コムの波長は，常に一定であってもよい。ただし，時間−周波数領域で分解する方法では，各光信号列と混合される各光周波数コムの位相関係が，互い直交関係にあることが必要である。互いに直交関係にある光周波数コムとは，二つの光周波数コム間で多周波ミキシング（光混合）を行い，その光周波数コムの周波数間隔の半分の値以下の十分狭帯域なローパスフィルタを通した場合に，その出力レベルが０となる（限りなく０に近づく）関係を意味するといえる。図４は，光周波数コムが直交した位相関係を持つ場合の例を示している。図４の左側は，光周波数コムを構成する光周波数成分が２本である場合を示し，図４の右側は，光周波数コムを構成する光周波数成分が３本である場合を示している。つまり，図４の左側は，２本の光周波数成分で構成された２つの光周波数コムが，互いに位相直交関係にある状態を示している。また，図４の右側は，３本の光周波数成分で構成された２つの光周波数コムが，それぞれ位相直交関係にある状態を示している。
【００３０】
図３に示したように，各光信号列と混合される各光周波数コムの位相関係を互いに直交状態に維持することで，各光信号列を時間−周波数領域で分解することができる。このようにして，光信号列ごとに，複数のサンプリング点が得られる。サンプリングされた光信号列の帯域は，元の光信号の帯域と比較して高度に圧縮されたものとなる。また，複数組の光信号列は，それぞれ，異なるタイミングで光検出器４０に到達する。このため，光検出器３０は，帯域圧縮された光信号列を順次検出していくことができる。つまり，光検出器３０は，超広帯域の光信号を同時に検出する必要がなく，帯域圧縮された複数の光信号列を順番に連続的に検出していけば済む。従って，超広帯域の光信号を検出する場合であっても，光検出器４０としては，既存の低速の光検出器を用いることができる。
【００３１】
［２．実施形態］
［２−１．実施形態の全体構成］
次に，図５を用いて，本発明に係る光検出装置１００の一実施形態について説明する。
図５は，上述した基本原理を利用した光検出装置１００の構成を示している。図５に示されるように，本実施形態では，検出対象の光信号として，マルチキャリア光信号が光検出装置１００に入力される。図５は，マルチキャリア光信号の例として，複数のＱＰＳＫ信号を周波数軸上に等間隔で配置したＯＦＤＭ（直交周波数分割多重：Orthogonal Frequency-Division Multiplexing）方式の信号を示している。本発明の光検出装置１００は，ＯＦＤＭ−ＱＰＳＫ信号のような広帯域の光信号を検出することが可能である。
【００３２】
図５に示されるように，本実施形態に係る光検出装置１００は，時間遅延調整手段１０と，光周波数コム発生器２０と，光混合器３０と，光検出器４０と，ローパスフィルタ４１，Ａ／Ｄ（アナログ／デジタル）変換器４２と，Ｓ／Ｐ（シリアル／パラレル）変換器４３と，を有している。また，光周波数コム発生器２０と，光混合器３０と，光検出器４０によって，光多周波ミキシング検出器が構成されている。
【００３３】
測定対象のマルチキャリア光信号は，まず，時間遅延調整手段１０に入力される。本実施形態において，時間遅延調整手段１０は，時間ゲートスイッチ１１とループ型光ファイバ遅延器１２によって構成されている。時間ゲートスイッチ１１は，入力されたマルチキャリア光信号のうちの所望の時間領域を取り出すものであり，必要とする時間領域の光信号を通過させて，残りの時間領域の光信号を通過させないように制御されている。このため，マルチキャリア光信号が時間ゲートスイッチ１１に入力されると，時間ゲートスイッチ１１は，このマルチキャリア光信号から所定時間領域内に属する光信号列を取得して後段の光混合器３０へと送出する。他方，時間ゲートスイッチ１１によって取得されなかったマルチキャリア光信号は，ループ型光ファイバ遅延器１２に導入される。ループ型光ファイバ遅延器１２は，例えば５０ｍ〜１０００ｍのシングルモード光ファイバ（ＳＭＦ）を多重にループさせた構成を有している。ループ型光ファイバ遅延器１２に導入されたマルチキャリア光信号は，ループ構造内を循環することで所定時間の遅延が与えられて，再び時間ゲートスイッチ１１に入力される。ループ内を循環したマルチキャリア信号が時間ゲートスイッチ１１に入力されると，時間ゲートスイッチ１１は，再度，このマルチキャリア光信号から所定時間領域内に属する光信号列を取得して後段の光混合器３０へと送出する。他方，時間ゲートスイッチ１１によって取得されなかったマルチキャリア光信号は，再びループ型光ファイバ遅延器１２へと導入される。このようなループ循環を繰り返し行うことで，時間ゲートスイッチ１１は，光混合器３０へと出力する各光信号列の時間調整を行う。これにより，時間遅延調整手段１０において，測定対象のマルチキャリア光信号は時間調整された複数組の光信号列に分解される。時間調整された複数組の光信号列は，それぞれ，光混合器３０に到達するタイミングが異なるものとなる。なお，光信号の遅延器は，ループ型光ファイバ遅延器に限られず，公知の遅延器を適宜用いることができる。
【００３４】
一方，光周波数コム発生器２０は，光周波数コムを生成する。光周波数コムは，周波数間隔が等間隔に配置された複数の光周波数成分からなる信号である。光周波数コム発生器２０によって生成された光周波数コムは，ローカルコムとも呼ばれる。光周波数コム発生器２０によって生成された光周波数コムは，光混合器３０に入力されて，時間遅延調整手段１０によって時間調整された光信号列と光混合される。光周波数コム発生器２０は，マッハツェンダ型光変調器を利用した構造であり，光強度が一定の平坦な光周波数コムを生成可能なものであることが好ましい。光検出装置１００において，各光信号列を波長領域で分解する場合には，光周波数コム発生器２０は，ローカルコムの波長を時間に対してシフトさせて，光信号列の全体域をカバーできるようにする（図１参照）。他方，光検出装置１００において，各光信号列を時間−周波数領域で分解する場合には，時間光周波数コム発生器２０は，ローカルコムの波長を時間に対して一定としていてもよい（図３参照）。ただし，時間−周波数領域での分解を行う際には，各光信号列と混合される各光周波数コムの位相関係が，互い直交関係にあることが好ましい。なお，光周波数コム発生器２０は，その他公知のコム発生器によって構成することができる。光周波数コム発生器２０の好ましい形態の詳細については後述する。
【００３５】
上述ように，光混合器３０の一方の入力ポートには，時間調整された複数組の光信号列が順番に入力され，光混合器３０の他方の入力ポートには，光周波数コムが入力される。各光信号列は，光混合器３０において光周波数コムと光混合されることで，波長領域又は時間−周波数領域においてサンプリングされる。また，複数組の光信号列は，それぞれ，時間調整手段１０によって，光混合器３０に到達するタイミングが少しずつ異なるように時間調整されている。このため，時間調整された光信号列はそれぞれ，光混合器３０において光周波数コムと異なるタイミングで光混合される。その結果，複数組の光信号列は，それぞれ，光周波数コムによって異なる点でサンプリングされる。このように，測定対象の光信号と光周波数コムを混合して高帯域幅の光サンプリングを行う技術を，ここでは多周波ミキシング検出と称している。そして，光周波数コムが測定対象であるマルチキャリア光信号の全帯域幅をカバーするものであれば，各光信号列と光周波数コムを混合することで得られた各サンプリング点を集積することにより，マルチキャリア光信号の全体域を取得することが可能となる。各光信号列のサンプリング点を集積することで，測定対象であるマルチキャリア信号に含まれるサブキャリア（ｄ１，ｄ２，ｄｎ）のそれぞれに対応したサブチャネル（Ｃｈ．１，Ｃｈ．２，Ｃｈ．ｎ）を得ることが可能である。
【００３６】
時間調整された光信号列と光周波数コムが光混合器３０で混合されると，その混合信号は光検出器４０に入力される。光検出器４０は，光信号である混合信号から電子信号を生成する。本実施形態において，測定対象のマルチキャリア光信号は，ＱＰＳＫ信号によって形成されている。このため，光検出器４０としては，ＱＰＳＫ信号を適切に復調することのできるバランスド検出器が用いられる。ＱＰＳＫ信号を復調するためのバランスド検出器は，公知のものを用いることができる。例えば，バランスド検出器は，光混合器３０（９０°ハイブリッドカプラ）から出力された混合信号のうち，Ｉ（Ｉｎ−ｐｈａｓｅ）成分に対応した電気信号を得る第１のバランスド検波部４０ａと，Ｑ（Ｑｕａｄｒａｔｕｒｅ）成分に対応した電気信号を得る第２のバランスド検波部４０ｂを有する。第１のバランスド検波部４０ａは，混合信号のうち位相が０°の成分と位相が１８０°の成分とをバランスド検波して，光信号から電気信号に変換することで，Ｉ成分に対応した電気信号を得る。また，第２のバランスド検波部４０ｂは，混合信号のうち位相が９０°の成分と位相が−９０°の成分とをバランスド検波して，光信号から電気信号に変換することで，Ｑ成分に対応した電気信号を得る。
【００３７】
本発明では，光信号と光周波数コムとを混合した光サンプリングによって光検出する光多周波ミキシング検出技術を利用することで，広帯域の光信号を，帯域圧縮して，低速のＲＦ周波数を有する電気信号にダウンコンバートすることができる。つまり，光検出器４０は，光混合器３０に入力された光信号と周波数コムとの周波数差をとることで，この周波数差をＲＦ周波数とした電気信号を得ることができる。光多周波ミキシング検出技術の詳細については後述する。
【００３８】
光検出器４０によって得られた電気信号は，ローパスフィルタ４１によって不要なノイズ成分が除去された後，Ａ／Ｄ変換器に入力されてデジタル信号へと変換される。デジタル信号は，Ｓ／Ｐ変換器によって，シリアル伝送からパラレル伝送に変換された後，各信号成分がＭＩＭＯ検出器４４へと入力される。例えば，ＭＩＭＯ検出器４４には，マルチキャリア光信号の各サブキャリア（ｄ１，ｄ２，ｄｎ）に対応した各サブチャネル（Ｃｈ．１，Ｃｈ．２，Ｃｈ．ｎ）の電気信号が，パラレルに入力される。このようにして，マルチキャリア信号光信号から多重分離されたサブチャネルを得ることができる。ＭＩＭＯ検出器４４においてサブチャネルを分離することで，受信信号に含まれるサブチャネル間の残留したクロストークをキャンセルすることができる。その後，各サブチャネルを解析することで，マルチキャリア光信号の波形や位相などの光情報の測定結果を得ることができる。
【００３９】
次に，時間遅延調整手段１０における好ましい時間遅延の設定について説明する。
図５に示されるように，測定対象のマルチキャリア信号は，光多周波ミキシング検出器（２０，３０，４０）の前に，時間ゲート１１とループ型光ファイバ遅延器１２を備えた時間遅延調整手段１０に入力される。時間ゲート１１とループ型光ファイバ遅延器１２により時間調整された光信号列は，異なるタイミングで，光多周波ミキシング検出器の光混合器３０の入力ポートに到達する。
【００４０】
ここで，各光信号列を時間−周波数領域で分解する場合には，時間調整されたそれぞれの光信号列に混合される光周波数コムの直交性を維持するために，ループ型光ファイバ遅延器１２での時間遅延は，（ｍ＋ｉ／ｎ）／Ｂ［秒］に設定されていることが好ましい。Ｂは，多重化された光信号を構成する各サブチャネルのシンボルレート［ｓｐｓ：ｓｙｍｂｏｌ／秒］である。ｍは，任意の整数である。ｎは，多重化されたサブチャネルの数である。ｉは，時間調整された光信号列の順番（順序番号）である。このような条件においては，時間調整されたｉ番目の光信号列と光周波数コム（ローカルコム）との相対的な時間遅延（時間差）は，ｉ／（ｎＢ）で表される。結果として，時間調整された光信号は，互いに直交した位相関係を持つローカルコムを利用して，光検出器において多周波ミキシング検出される。
【００４１】
上記の条件を満たすように，各光信号列に時間遅延を与えることで，各光信号列が適切なタイミングで光混合器３０に到達するようになるため，ローカルコムを生成する光周波数発生器２０の精密な制御が不要になる。例えば，光周波数発生器２０からローカルコムを発生させるときに，このローカルコムの位相状態を逐次調整するような制御が不要になる。また，ローカルコムを構成する光周波数成分のそれぞれの位相は任意の位相であってもよく，必ずしも全ての光周波数成分の位相を揃える（例えばゼロとする）必要がない。このため，一つの光周波数発生器２０のみによって十分に対応することができる。さらに，上記の条件を満たすように各光信号列に時間遅延を与え，時間調整された各光信号列にローカルコムを混合して光検出を行うことで，全ての光信号列の振幅と位相とを一括的に取得することができる。
【００４２】
また，全てのサブチャネルは，デジタル信号処理を利用して，多周波ミキシング検出された光信号列にｎ×ｎの行列を適用することによって，ｎ組の光信号列から多重分離して取得することができる。また，マルチキャリア光信号の種類（変調の種類）に応じて行列要素を適切に選択することで，この時間遅延調整手段１０を有する光検出装置１００は，ｎｆ［Ｈｚ］帯域幅内のどのような種類のマルチキャリア信号であっても検出することができる。また，サブチャネル間のクロストークをキャンセルするＭＩＭＯ等化技術により，行列要素が適応的に更新されるというメリットもある。さらに，本発明の検出方式は，多重分離の際に光高速フーリエ変換（ＦＦＴ）や光チャネル選択フィルタに依存するものではないため，波長検出性能が低い一般的な光検出器を用いて，超広帯域の光信号を一括的に検出することが可能である。
【００４３】
［２−２．光周波数コム発生器］
続いて，光周波数コム発生器２０の好ましい形態について具体的に説明する。図６は，光周波数コム発生器２０の概略図である。図６に示されるように，本発明の光検出装置１００において，光周波数コム発生器２０は，マッハツェンダ型光変調器を利用したものであることが好ましい。このような光周波数コム発生器２０は，例えば，特開２００７−２４８６６０号に開示されたものを採用することができる。ただし，本発明に係る光検出装置１００において，光周波数コム発生器２０としては，光周波数コムを発生させることができるものであれば，公知のコム発生器を適宜採用することができる。
【００４４】
図６に示されるように，光周波数コム発生器２０は，導波路部分２１と，駆動信号系２２と，バイアス信号系２３とを備えている。
導波路部分２１は，入力部２１ａと，分岐部２１ｂと，第１の導波路２１ｃと，第２の導波路２１ｄと，合波部２１ｅと，出力部２１ｆとを含む。まず，入力部２１ａに光信号が入力されて，光信号は分岐部２１ｂにおいて分岐される。第１の導波路２１ｃは，分岐部２１ｂにおいて分岐された一方の光信号が伝搬し，第２の導波路２１ｄは，分岐部２１ｂにおいて分岐した他方の光信号が伝搬する。合波部２１ｅでは，第１の導波路２１ｃと第２の導波路２１ｄから出力される光信号が合波され，合波された光信号は出力部２１ｆから出力される。また，駆動信号系２２は，第１の導波路２１ｃを駆動する第１の駆動信号２２ａと，第２の導波路２１ｄを駆動する第２の駆動信号２２ｂとを生成する。また，バイアス信号系２３は，第１の導波路２１ｃ及び第２の導波路２１ｄに印加するバイアス信号２３ａ，２３ｂを生成する。
【００４５】
そして，駆動信号系２２及びバイアス信号系２３は，第１の駆動信号２２ａ，第２の駆動信号２２ｂ，及びバイアス信号２３ａ，２３ｂが，下記式（Ｉ）を満たすように駆動することが好ましい。
ΔＡ＋Δθ＝π／２      （Ｉ）
【００４６】
上記式（Ｉ）において，ΔＡ及びΔθは，それぞれ，ΔＡ≡（Ａ１−Ａ２）／２，及びΔθ≡（θ１−θ２）／２と定義される。Ａ１及びＡ２は，それぞれ，第１の駆動信号２２ａ及び第２の駆動信号２２ｂの電極への入力時における第１の駆動信号２２ａ及び第２の駆動信号２２ｂに誘導される光位相シフト振幅を示している。θ１及びθ２は，それぞれ，第１の導波路２１ｃ及び第２の駆動信号２２ｂ内で光路長差及びバイアス信号により誘導される光位相シフト量を示している。
【００４７】
すなわち，光周波数コム発生器２０は，上記式（Ｉ）の条件を満たすように，第１の駆動信号２２ａ，第２の駆動信号２２ｂ，及びバイアス信号２３ａ，２３ｂを駆動する駆動信号系２２とバイアス信号系２３とを具備するものである。そして，駆動の制御は，信号系に含まれるか信号系に取り付けられたコンピュータなどの制御部で制御すればよい。
【００４８】
図６に示されるように，光周波数コム発生器２０は，マッハツェンダ型光変調器を利用したものであり，原理的には，導波路と駆動信号を印加する電極とにより構成される２つの位相変調器を組み合わせた構造となっている。そして，上記式（Ｉ）を満たすように，駆動信号系２２及びバイアス信号系２３を駆動することにより，導波路部分２１の合波部２１ｅにおいて合波される２つの位相変調器からの光信号が互いに補い合うこととなる。このため，光周波数コム発生器２０は，平坦なスペクトル特性を有する光周波数コムを安定的に得ることができる。
【００４９】
また，光周波数コム発生器は，上記式（Ｉ）の代わりに，下記式（ＩＩ）を満たすように駆動するものであってもよい。
ΔＡ＝Δθ＝π／４        （ＩＩ）
【００５０】
上記（ＩＩ）において，ΔＡ及びΔθの定義は，上記（Ｉ）と同義である。このように，光周波数コム発生器２０は，上記式（ＩＩ）に従って，第１の駆動信号２２ａ，第２の駆動信号２２ｂ，及びバイアス信号２３ａ，２３ｂを駆動する駆動信号系２２とバイアス信号系２３を具備するものであってもよい。式（ＩＩ）のように駆動すれば，光周波数コム発生器は，平坦なスペクトル特性を有する光周波数コムを効率よく得ることができる。
【００５１】
また，光周波数コム発生器は，上記（Ｉ）と（ＩＩ）の式の定義において，第１の駆動信号２２ａの振幅（Ａ１）と第２の駆動信号２２ｂの振幅（Ａ２）は，異なるものであることが好ましい。
【００５２】
その他，上記光周波数コム発生器の具体的な設計理論や製造方法は，特開２００７−２４８６６０号に開示されている。本発明の光検出装置において，この文献に開示された光周波数コム発生器の構成を適宜採用することができる。
【００５３】
また，光周波数コムは，等間隔の周波数差を有する複数の光周波数成分により構成されている。また，光周波数コムは，平坦なスペクトル特性を持つこと，すなわち，それぞれの光周波数成分が等しい光強度を持つことが理想的である。他方，光周波数コムは，必ずしも，各光周波数成分の位相が全て一致している必要はない。つまり，光周波数コムを構成する各周波数成分は，任意の位相を有していてもよい。ここで，光周波数コムという概念には，各光周波数成分の位相が全て一致している光パルスが含まれる。光パルスは，光周波数コムの好ましい形態の一つである。光周波数コム発生器２０は，このような光パルス（各光周波数成分の位相が全て一致している光周波数コム）を発生させるものであってもよい。
【００５４】
光検出装置１００において，各光信号列を波長領域で分解する場合には，光周波数コム発生器２０は，ローカルコムの波長を時間に対してシフトさせて，光信号列の全体域をカバーできるようにする（図１参照）。他方，光検出装置１００において，各光信号列を時間−周波数領域で分解する場合には，時間光周波数コム発生器２０は，ローカルコムの波長を時間に対して一定としていてもよい（図３参照）。ただし，時間−周波数領域での分解を行う際には，各光信号列と混合される各光周波数コムの位相関係が，互い直交関係にあることが好ましい。
【００５５】
［２−３．光多周波ミキシング検出器］
図７は，光検出器４０の好ましい形態について具体的に説明する。本発明では，上述した光周波数コム発生器２０，光混合器３０，及び光検出器４０によって，光多周波ミキシング検出器を実現している。ここにいう光多周波ミキシングとは，検出対象となる光信号と局所的に生成された光周波数コム（ローカルコム）とを混合（ホモダイン混合）することにより，波長領域又は時間−周波数領域で高帯域幅の光サンプリングを可能にする検出技術である。ここでは，連続波（ＣＷ）光源又はパルス光源の代わりに，局部発振器として，矩形スペクトル特性を有する光周波数コムを用いて，波長領域又は時間−周波数領域における光信号のサンプリング点を取ることとしている。光多周波ミキシング検出器において，超広帯域の光信号は，帯域圧縮されて，低速のＲＦ周波数を有する電気信号にダウンコンバートされる。
【００５６】
図７に示されるように，光多周波ミキシング検出に関するシステムは，光周波数コム発生器２０と，光混合器３０と，光検出器４０（低速フォトダイオード）とを備える。また，このシステムは，さらに，包絡線検出器４１と，ＲＦローパスフィルタ４２と，ＲＦ検出器４３を備えていることが好ましい。
【００５７】
図７に示されるように，光混合器３０には，検出対象である光信号（ターゲット信号）と光周波数コム発生器２０から出力された光周波数コム（ローカルコム）とが入力される。ここで，本発明の光検出装置１００において，ターゲット信号は，時間遅延調整手段１０によって，光混合器３０に到達する時間が調整された光信号列であるということができる。つまり，本発明の光検出装置１００では，検出対象である光信号が，まず時間遅延調整手段１０に入力されて，光混合器３０に到達するタイミングの異なる複数の光信号列（周波数や強度は一定）が生成される。そして，時間調整された光信号列のそれぞれは，光混合器３０において，光周波数コムと順次混合されていくこととなる。
【００５８】
光混合器３０では，周波数ｆ［Ｈｚ］の繰り返し率を有するターゲット信号が，周波数ｆ−Δｆ［Ｈｚ］の周波数間隔を有するローカルコムと光混合される。ここで，Δｆは任意に設定可能であるが，Δｆ＜＜ｆであることが好ましい。そして，ターゲット信号とローカルコムの混合波が光検出器４０（フォトダイオード）によって検出されると，これらの混合波は周波数の低い中間周波数（ＩＦ）へダウンコンバートされる。ここで，ローカルコムはスペクトル的に強度が等しいものであるため，ターゲット信号の周波数成分毎のヘテロダイン変換効率は等しくなる。従って，ターゲット信号のスペクトルの複製がＩＦ帯域において電気信号として生成されているが，この電気信号の周波数間隔は，ターゲット信号の周波数間隔から高度に圧縮されたΔｆとなる。このように，光検出器４０は，光混合器３０で混合されたターゲット信号の周波数とローカルコムの周波数の周波数差を検出して，この周波数差をＲＦ周波数とするＩＦ信号を得ることができる。
【００５９】
さらに，ローカルコムの各周波数モード間の位相差Δφｉがゼロに設定されている場合，ターゲット信号の各周波数モード間の位相関係も維持される。また，光検出器４０によって得られたＩＦ信号は，包絡線検出器４１に入力される。包絡線検出器４１では，ターゲット信号の波形と類似性の高い包絡線を取り出すことができる。
【００６０】
上記のように，ＩＦ信号の繰り返し率はΔｆであり，このΔｆは，元となるターゲット信号の繰り返し率ｆと較べて遥かに遅いものとなる。従って，ターゲット信号が光検出器４０（低速のフォトダイオード）によって検出可能な帯域幅の限界を超えた超高速波形を有している場合であっても，光多周波ミキシング検出を利用することで，この光検出器４０によって検出することが可能となる。さらに，この技術では，包絡線検波を行うことで，ターゲット信号とローカルコムとの光位相差の不確実性をキャンセルすることができるため，ターゲット信号やローカルコムの光位相を固定する必要がないというメリットがある。つまり，ターゲット信号やローカルコムを構成する光成分がどのような位相差を有する場合であっても，汎用的なフォトダイオードによって，振幅と位相差を一括して取得できる。ローカルコムは，完全な光パルス（各光周波数成分の位相が全て一致している光周波数コム）である必要ない。ローカルコムを構成する光周波数成分は，それぞれ任意の位相とすることができる。
【００６１】
また，図７に示されるように，光検出器４０により取得されたＩＦ信号は，ローパスフィルタ４２を介して残留する不要なノイズ成分が除去された後，ＲＦ検出器４３に入力される。ＲＦ検出器４３は，ＩＦ信号の信号波形に基づいて，ターゲット信号の信号波形を復元する。特に，本発明の光検出装置１００では，時間遅延調整手段１０によって時間調整された複数の光信号列が，異なるタイミングで光混合器３０に順次入力されて，光検出器４０によってＩＦ信号に変換される。このため，ＲＦ検出器４３は，複数のターゲット信号の信号波形に基づいて，時間遅延調整手段１０に入力された最初の光信号の信号波形を復元する。なお，時間調整された複数のターゲット信号から最初の光信号の信号波形を復元するアルゴリズムは，適宜設計することができる。
【００６２】
ここで，ローカルコムを生成する光周波数コム発生器２０は，以下の条件を満たすように駆動することが好ましい。（１）まず，ローカルコムを構成する各周波数成分は，互いに位相差がゼロ（Δφｉ＝０）であり，周波数間隔が等間隔であることが好ましい。（２）また，ローカルコム信号を構成する各周波数成分は，光強度が全て等しいことが好ましい。（３）さらに，ローカルコム信号の中心周波数（波長）と周波数間隔は，柔軟に任意に制御可能であることが好ましい。このような条件を満たす光周波数コム発生器２０としては，上述したマッハツェンダ型光変調器を利用した光周波数コム発生器２０を用いることができる。つまり，マッハツェンダ型の光周波数コム発生器２０は，電気光学超平坦周波数コム発生器として機能するものであり，多重周波数局部発振器として用いるのに適している。上述のとおり，マッハツェンダ型の光周波数コム発生器２０は，スペクトルの平坦性が高い優れた光周波数コムを安定して生成することが可能であるとともに，得られる光周波数コムの中心周波数（波長）と周波数間隔とを柔軟に制御することができる。また，この光周波数コム発生器２０によれば，サブテラヘルツの帯域幅を有する超平坦周波数コムを生成することも可能である。従って，ピコ秒周辺の時間分解能を発揮することも期待できる。
【００６３】
上述したように，各光信号列を時間−周波数領域で分解する場合（図３参照）には，時間調整されたそれぞれの光信号列に混合される光周波数コムの直交性を維持するために，ループ型光ファイバ遅延器１２での時間遅延が，（ｍ＋ｉ／ｎ）／Ｂ［秒］に設定されていることが好ましい。このように時間遅延を設定することで，光周波数コムの各周波数モード間の位相差Δφｉがゼロでない場合であっても，各光信号列に混合される光周波数コムそれぞれの直交関係が確保され，時間−周波数領域で分解が可能となる。その結果，光周波数コム発生器２０から出力される光周波数コムの波長（中心波長）を，時間に対してシフトさせるといった操作が不要となる。
【００６４】
また，上記のように，ローカルコムとしては，任意の位相差Δφｉの値を持った光周波数コムを適用できるため，完全な光パルス（各光周波数成分の位相が全て一致している光周波数コム）を用いる必要がない。このため，本発明によれば，複雑な光パルスに依存せずに，より簡易な構成での光検出装置（オシロスコープ）を提供することができる。
【００６５】
［３．実施例］
続いて，図８〜図１１を参照して，本発明に係る光検出装置の実施例について説明する。図８は，実施例に係る光検出装置の構成を示している。図８に示された実施例は，図５に示した光検出装置１００の実施例に相当する。
【００６６】
本実施例において，送信機側で，４チャネルの時間周波数領域多重（ＯＴＦＤＭ：Orthogonal Time-Frequency Domain Multiplexing）信号を発生させた。ＯＴＦＤＭ信号の通信速度は４×２０Ｇｂ／ｓであった。ここで，「ＯＴＦＤＭ信号」とは，ＯＦＤＭと同等のスペクトル効率を有するマルチキャリア信号である［参考文献：Takahide Sakamoto, Orthogonal Time-Frequency Domain Multiplexing with Multilevel Signaling, Optics Express, Vol. 22, Issue 1, pp. 773-781 (2014) ］。本実施例では，マルチキャリア光信号の一例として，ＯＴＦＤＭ信号を発生させて，このＯＴＦＤＭ信号をテスト信号として用いた。
【００６７】
送信機側では，まず，光源から出力された連続光（ＣＷレーザー）をマッハツェンダ変調器型の平坦光周波数コム発生器（ＭＺ−ＦＣＧ）に入力し，１８×１０ＧＨｚの光周波数コム信号を生成した。得られた光周波数コム信号は，後段のマッハツェンダ光変調器に入力され，ＱＰＳＫ形式の光変調が施された。ＱＰＳＫ形式の光変調は，２１５−１のパターン長を有する１０ギガボーのシンボルレートであった。ここで，光周波数コム信号に含まれる全ての光成分（コムライン）は，同一のデータストリームで変調されていた。ＱＰＳＫ変調された光周波数コム信号は，４０Ｇｂ／ｓの長方形通過帯域を有するバンドパスフィルタでフィルタリングされ，その後，ＯＴＦＤＭ信号を生成する遅延ラインベースの４×ＯＴＦＤＭマルチプレクサに導かれた。本実施例では，このような構成によって，４０ＧＨｚの帯域幅を有する８０Ｇｂ／ｓのＯＴＦＤＭ−ＱＰＳＫ信号を生成した。
【００６８】
他方，受信機側では，ループ支援型の光多周波ミキシング検出装置を構築した。上記のようにして生成された超広帯域のＯＴＦＤＭ−ＱＰＳＫ信号は，ループ部（時間遅延調整手段）に入力された。ループ部は，５００ｍのシングルモード光ファイバ（ＳＭＦ）と，光増幅器（ＥＤＦＡ）と，時間ゲートとして機能する超音波光スイッチ（ＡＯＭスイッチ）により構成した。検出対象であるＯＴＦＤＭ−ＱＰＳＫ信号は，ＡＯＭスイッチを経て，光ファイバのループ部（５００ｍ）に入力された。ループ部において，ＯＴＦＤＭ−ＱＰＳＫ信号は，１μｓのタイミングウィンドウで時間調整（タイムゲート）された後，ＳＭのループ内を８回循環して再調整（時間遅延）された。再循環ループの後，８組の内の４組の光信号列（受信信号）が，１００ｍ＋２５ｉ［ｐｓ］のタイミング遅延を与えられて，ハイブリッドカプラの信号ポートに入力された。
【００６９】
一方で，上記したものとは別のマッハツェンダ変調器型の平坦光周波数コム発生器（ＭＺ−ＦＣＧ）を利用して，ローカルコムを生成した。このローカルコムは，ハイブリッドカプラのもう一方のポートに入力される。ローカルコムのコムラインの数は４つであり，これは，８０Ｇｂ／ｓのＯＴＦＤＭ−ＱＰＳＫ信号の全帯域幅をカバーするものであった。本実施例における設定では，受信信号（ＯＴＦＤＭ−ＱＰＳＫ信号）とローカルコムの間の相対的な光遅延は２５ｉ［ｐｓ］であり，この値は，マルチキャリアである受信信号とローカルコムの間の直交性を保証している。
【００７０】
再循環された受信信号（ＯＴＦＤＭ−ＱＰＳＫ信号）は，オフライン信号処理に基づいて，典型的なデジタルホモダイン受信機を使用して，ローカルコムとホモダイン混合された。また，ＱＰＳＫ信号を復調して光検出するために，ハイブリッドカプラの後段には，典型的なバランスド光検出器を実装した。ｎ×ｎＭＩＭＯ（４×４ＭＩＭＯ）は，受信信号に含まれるサブチャネル間の残留したクロストークをキャンセルするために実装した。
【００７１】
図９（ａ）は，４×２０Ｇｂ／ｓのＯＴＦＤＭ−ＱＰＳＫ信号の光スペクトルを示している。また，図９（ｃ）は，４つのコムライン数を有するローカルコムの光スペクトルを示している。また，図１０は，０．１ｎｍで受信されたＯＳＮＲの関数として測定された，多重分離後のチャネルのビットエラーレート特性を示している。所要のＯＳＮＲ＠ＢＥＲ＝１０ｅ−３は，１１．５〜１３．５ｄＢであった。この値は，１２ｄＢの理論的に期待される所望のＯＳＮＲに近いものであった。図１０のように分散する理由は，多重化されたサブチャネルのパワーが不均衡であることが主な原因であると考えられる。
【００７２】
また，本実施例では，光検出装置のチャネル選択能力を示すため，図９（ｂ）に示すように，異なる帯域幅を持つ複数のＯＴＦＤＭバンドルを搬送するフレキシブルなグリッド信号を測定した。本実施例では，ＯＴＦＤＭバンドル間で４倍の波長帯域を測定した。図１１は，個別に検出された全てのサブチャネルについて測定したコンスタレーションを示している。図１１に示されるように，各サブチャンネルのコンスタレーションは明確に観察されている。従って，本実施例によれば，全てのチャンネルが正常に分離され，重大なクロストークも発生せずに復調されていることを確認することができた。
【００７３】
以上のように，本実施例では，マルチキャリア光信号の全てのサブチャネルを同時に測定することが可能な，ループ支援型の並列コヒーレントマッチ検出器が実証された。つまり，本実施例の検出器によれば，４×２０Ｇｂ／ｓのＯＴＦＤＭ−ＱＰＳＫ信号を分波して正確に検出することが可能であることが実験的に実証された。
【００７４】
以上，本願明細書では，本発明の内容を表現するために，図面を参照しながら本発明の実施例の説明を行った。ただし，本発明は，上記実施例に限定されるものではなく，本願明細書に記載された事項に基づいて当業者が自明な変更形態や改良形態を包含するものである。
【産業上の利用可能性】
【００７５】
本発明は，電気的帯域限界を超えた超広帯域の光信号を一括計測することのできる光検出装置及び光検出方法に関する。例えば，本発明の技術は，オシロスコープに適用することができる。
【００７６】
また，高度に多重化された光ネットワーク信号を解析するためには，光の多重軸及び自由度に応じたコヒーレントな多次元光計測の技術を確立しなくてはならない。その際，並列化及び多次元化が重要な鍵となるが，本発明は，並列化及び集積化において有利である。また，機能の並列化の際に，光信号生成部分や光検出部分等の多くの主要部分は共通化できる。光計測システムの複雑化を避けつつ，より次数の高い多次元光計測を行う際に，本発明は効果を発揮する。
【符号の説明】
【００７７】
１０…時間遅延調整手段                １１…時間ゲートスイッチ
１２…ループ型光ファイバ遅延器        ２０…光周波数コム発生器
２１…導波路部分                      ２１ａ…入力部
２１ｂ…分岐部                        ２１ｃ…第１の導波路
２１ｄ…第２の導波路                  ２１ｅ…合波部
２１ｆ…出力部                        ２２…駆動信号系
２２ａ…第１の駆動信号                ２２ｂ…第２の駆動信号
２３…バイアス信号系                  ３０…光混合器
４０…光検出器                        ４１…ローパスフィルタ
４２…Ａ／Ｄ変換器                    ４３…Ｓ／Ｐ変換器
４４…ＭＩＭＯ検出器                  ４５…包絡線検波器
４６…ローパスフィルタ                ４７…ＲＦ検出器
１００…光検出装置
【図１】
0006296609.tif 000002
【図２】
0006296609.tif 000003
【図３】
0006296609.tif 000004
【図４】
0006296609.tif 000005
【図５】
0006296609.tif 000006
【図６】
0006296609.tif 000007
【図７】
0006296609.tif 000008
【図８】
0006296609.tif 000009
【図９】
0006296609.tif 000010
【図１０】
0006296609.tif 000011
【図１１】
0006296609.tif 000012